(57)【要約】【課題】ふにゃふにゃで脂肪の多い乳幼児特有の足の構造を考慮した乳幼児用靴の足型を提供する。【解決手段】乳幼児用靴の足型は、着地して体重がかかっている負荷状態の乳幼児の足の寸法に相当する足幅寸法Ｗおよび前足部高さＨ２を有し、地面から浮いた無負荷状態の寸法に相当する甲高さＨ１を有する。【選択図】        図２
2004254747.tif 000002
【特許請求の範囲】
【請求項１】
着地して体重がかかっている負荷状態の乳幼児の足の寸法に相当する足幅寸法および前足部高さを有し、
地面から浮いた無負荷状態の寸法に相当する甲高さを有する、乳幼児用靴の足型。
【請求項２】
着地して体重がかかっている負荷状態の乳幼児の足の各部の寸法値に相当する寸法を有する、乳幼児用靴の足型。
【請求項３】
着地して体重がかかっている状態での乳幼児の足の各部の寸法を測定して各部の負荷状態寸法値を入手し、
地面から浮いた状態での足の各部の寸法を測定して各部の無負荷状態寸法値を入手し、
足型の各部の寸法として、各部の負荷状態寸法値と無負荷状態寸法値とを比較して大きな寸法値を採用することを特徴とする、乳幼児用靴の足型の製造方法。
【請求項４】
足幅寸法および前足部の高さとして負荷状態寸法値を採用し、
甲の高さとして無負荷状態寸法値を採用することを特徴とする、請求項３に記載の乳幼児用靴の足型の製造方法。
【請求項５】
前記負荷状態寸法値および無負荷状態寸法値は、３次元計測装置を用いて足部表面形状の計測を行ない、各部の寸法をデータ化することによって得られる、請求項３または４に記載の乳幼児用靴の足型の製造方法。
【請求項６】
着地して体重がかかっている負荷状態での乳幼児の足の表面形状を３次元計測装置を用いて計測し、負荷状態の足の各部の寸法をデータ化して負荷状態寸法値をとり、この負荷状態寸法値に基いて足型を製作する、乳幼児用靴の足型の製造方法。
【発明の詳細な説明】
【０００１】
【発明の属する技術分野】
この発明は、乳幼児用靴を製造するのに利用される乳幼児用靴の足型に関するものである。
【０００２】
【従来の技術】
乳幼児用靴の足型を製作する場合、実際に乳幼児の足の寸法を計測する必要がある。従来、足の寸法を測定するのに、メジャーやノギスを使用している。
【０００３】
また、乳幼児の足を地面または床面から浮かせた状態で各部の寸法を計測し、その測定値に基いて足型を製作している。
【０００４】
【発明が解決しようとする課題】
メジャーやノギスによる計測は、測定者によって測定部位がずれるので、正確さに欠ける。特に、乳幼児は、足の計測時にじっとしていられないので、測定部位が曖昧になる。
【０００５】
乳幼児の足は、大人と違い、ふにゃふにゃで脂肪が多い。そのため、歩行時の足の寸法を観察すると、着地して体重がかかっている状態の足の各部の寸法と、地面から離れて宙に浮いている状態の足の各部の寸法とは異なってくる。
【０００６】
従来の乳幼児用靴の足型は、上記のような乳幼児特有の足の構造を考慮していない。
【０００７】
この発明の目的は、ふにゃふにゃで脂肪の多い乳幼児特有の足の構造を考慮した乳幼児用靴の足型およびその製造方法を提供することである。
【０００８】
【課題を解決するための手段】
この発明に従った乳幼児用靴の足型は、一つの局面においては、着地して体重がかかっている負荷状態の乳幼児の足の寸法に相当する足幅寸法および前足部高さを有し、さらに、地面から浮いた無負荷状態の寸法に相当する甲高さを有する。
【０００９】
この発明に従った乳幼児用靴の足型は、他の局面においては、着地して体重がかかっている負荷状態の乳幼児の足の各部の寸法値に相当する寸法を有する。
【００１０】
この発明に従った乳幼児用靴の足型の製造方法は、一つの局面においては、着地して体重がかかっている状態での乳幼児の足の各部の寸法を測定して各部の負荷状態寸法値を入手し、さらに、地面から浮いた状態での足の各部の寸法を測定して各部の無負荷状態寸法値を入手する。足型の各部の寸法として、各部の負荷状態寸法値と無負荷状態寸法値とを比較して大きな寸法値を採用する。
【００１１】
好ましくは、足幅寸法および前足部の高さとして負荷状態寸法値を採用し、甲の高さとして無負荷状態寸法値を採用する。
【００１２】
さらに好ましくは、負荷状態寸法値および無負荷状態寸法値は、３次元計測装置を用いて足部表面形状の計測を行ない、各部の寸法をデータ化することによって得られる。
【００１３】
この発明に従った乳幼児用靴の足型の製造方法は、他の局面においては、着地して体重がかかっている負荷状態での乳幼児の足の表面形状を３次元計測装置を用いて計測し、負荷状態の足の各部の寸法をデータ化して負荷状態寸法値をとり、この負荷状態寸法値に基いて足型を製作する。
【００１４】
上記各構成の作用効果については、発明の実施の形態の項で説明する。
【００１５】
【発明の実施の形態】
歩き始めの乳幼児の足はふにゃふにゃで柔らかく、脂肪の塊といっても過言ではない。そのため、足に体重がかかってくれば足は横に広がる。すなわち、足に体重がかかった負荷状態における足幅寸法は、足を地面から浮かせた無負荷状態に比べて、おおきくなる。
【００１６】
乳幼児は歩くときには、指先に力を入れて指先を立てようとする。そのため、前足部の高さは、足に体重がかかっているとき（負荷状態）に高くなり、宙に浮いているとき（無負荷状態）に低くなる。
【００１７】
足の甲の部分の高さに関しては、足に体重がかかっているとき（負荷状態）に低くなり、宙に浮いて体重がかかっていないとき（無負荷状態）には高くなる。
【００１８】
足の長さに関しては、負荷状態および無負荷状態でそれほど大きな差は生じない。
【００１９】
歩行動作では、乳幼児の足は、負荷状態と無負荷状態とを繰り返す。従来のように、無負荷状態での足の計測値に基いて足型を製作すると、乳幼児用靴は、無負荷状態での乳幼児の足にフィットするようになる。ところが、負荷状態になると、例えば、足幅および前足部分が窮屈になり、スムーズな歩行動作を妨げるようになる。前足部分が窮屈になりすぎると指先を立てるようなつかみ動作に支障が生じるようになるので、土踏まずの形成に悪影響を及ぼす。
【００２０】
そこで、本発明では、一つの局面において、負荷状態および無負荷状態の両者で窮屈さを与えない乳幼児用靴を製造するのに適した足型を提供しようとするものである。
【００２１】
また、本発明は、他の局面において、特に負荷状態での窮屈さを解消し得る乳幼児用靴を製造するのに適した足型を提供しようとするものである。
【００２２】
図１は、この発明の一実施形態を示す斜視図であり、図２はその側面図、図３はその底面図である。
【００２３】
図１に示す足型を製作するために、次の計測を行なった。歩行時の負荷状態にある足の形状を再現するために、３次元計測装置（Ｄａｎａｅ−Ｒ：ＮＥＣ三栄）を用いて歩行動作中に地面に接地している状態の乳幼児の足部の表面形状の計測を行ない、得られたポリゴンデータを張り合わせた。この再現データを基に足部各部位の寸法をデータ化した。この負荷状態の各部の寸法値に基いて足型を製作した。
【００２４】
上記のようにして製作した乳幼児用靴の足型は、従来の足型に比べて、特に足幅寸法Ｗおよび前足部（足指の位置する部分）の高さＨ２が大きい。従って、この足型に基いて製造した乳幼児用靴であれば、歩行動作の着地時における足幅の圧迫を避けることができる。また、前足部の高さが高く、前足部に比較的大きな空間ができるので、乳幼児は、歩行時に指のつかみ動作をスムーズに行なうことができる。このような指のつかみ動作は、土踏まずの形成を促進する。
【００２５】
前述したように、乳幼児の甲の部分の高さＨ１に関しては、足に体重がかかっているとき（負荷状態）に低くなり、宙に浮いているとき（無負荷状態）に低くなる。足の長さＬに関しては、負荷状態および無負荷状態でそれほど大きな差は生じない。
【００２６】
負荷状態における乳幼児の足の形状に則して足型を製作し、この足型に基いて乳幼児用靴を製造した場合、乳幼児の歩行動作の際に足を宙に浮かせたとき甲部分が窮屈になる。そこで、負荷状態および無負荷状態の両者で窮屈さを与えないようにするために、上記の負荷状態での乳幼児の足の計測に加えて、無負荷状態での足の計測を行なうようにしてもよい。そして、負荷状態で計測した乳幼児の足の各部の寸法値と、無負荷状態で計測した乳幼児の足の各部の寸法値とを比較し、各部に対してより大きな寸法値となっている方を採用する。このようにして選んだ各部の寸法値に基いて足型を製作し、さらにこの足型を利用して乳幼児用靴を製造すれば、負荷状態および無負荷状態の両者において、乳幼児の足に窮屈な状態を与えない。上記のようにして得られた足型は、負荷状態の乳幼児の足の寸法に相当する足幅寸法Ｗおよび前足部高さＨ２を有し、無負荷状態の寸法に相当する甲高さＨ１を有する。
【００２７】
以上のようにこの発明に従った足型によれば、ふにゃふにゃで脂肪の多い乳幼児の足に適した乳幼児用靴を製造することができる。
【図面の簡単な説明】
【図１】乳幼児用靴の足型を示す斜視図である。
【図２】足型の側面図である。
【図３】足型の底面図である。
【符号の説明】
Ｈ１  甲高さ、Ｈ２  前足部高さ、Ｗ  足幅寸法、Ｌ  足の長さ。
【図１】
2004254747.tif 000003
【図２】
2004254747.tif 000004
【図３】
2004254747.tif 000005